(57)【要約】【課題】回路基板に接続されるフラットケーブルをベース部材に対して簡単かつ確実に固定することができる可動役物装置を提供する。【解決手段】ベース部材である揺動体３７に対して直線的に往復移動する回路基板４３を備え、この回路基板４３上に実装されたＬＥＤ５３にフラットケーブル４４を介して電力を供給する可動役物装置において、平板部５６ｂの両端から一対のスナップ脚５６ａを突出させた断面コ字状の本体５６と平板部にスリット５８を介して並設された平面視Ｌ字状のフック部５７とを有する止め具４５を用い、この止め具の両スナップ脚をフラットケーブルの所定箇所を挟むようにベース部材に係止した後、フラットケーブルの先端部分を平板部の表面側に折り返してからスリットに挿入し、さらにスリットからフック部の裏面を通って回路基板上のコネクタ５５まで導くようにした。【選択図】図１９
2010220865.tif 000002
【特許請求の範囲】
【請求項１】
遊技盤の遊技領域に配設され、電子抽選の結果を可動態様によって遊技者に示唆する可動役物装置において、
直線的に往復移動するスライド体と、このスライド体の内部に固定され、発光体とコネクタが実装された回路基板と、前記スライド体を前後進可能に支持するベース部材と、前記コネクタに接続されて前記発光体に電力を供給する帯状のフラットケーブルと、このフラットケーブルを前記ベース部材に固定する止め具とを備え、
前記止め具は、一対のスナップ脚の一端部間を矩形状の平板部で橋絡した断面コ字状の本体と、前記平板部に並設されて前記本体との間にスリットを画成する平面視Ｌ字状のフック部とを有し、
前記両スナップ脚を前記ベース部材に係止することにより、前記フラットケーブルを前記平板部の裏面と前記ベース部材の受け面とで挟持すると共に、このフラットケーブルを前記平板部の表面側に折り返して前記スリットから前記フック部の裏面を通って前記コネクタまで導くようにしたことを特徴とする可動役物装置。
【請求項２】
請求項１の記載において、前記平板部の裏面と前記ベース部材の受け面とのいずれか一方に凹部が形成されていると共に、いずれか他方に前記凹部に挿入される凸部が形成されており、前記フラットケーブルが前記凸部と前記凹部との間で厚み方向に挟圧されていることを特徴とする可動役物装置。
【請求項３】
請求項１の記載において、前記スライド体が前記遊技盤の盤面と略平行な面内を移動可能であると共に、前記ベース部材が前記遊技盤の盤面と略平行な面内を回動可能であり、このベース部材を傾倒姿勢に角度規制するストッパ手段を設け、前記ベース部材が前記傾倒姿勢で角度規制されているとき、前記スライド体が該ベース部材に対して往復移動するように構成されていることを特徴とする可動役物装置。
【発明の詳細な説明】
【技術分野】
【０００１】
本発明は、電子抽選の結果を可動部の可動態様によって遊技者に示唆する可動役物装置に係り、特に、可動部と一体的にスライド移動する回路基板に接続されるフラットケーブルの取付構造に関するものである。
【背景技術】
【０００２】
パチンコ機に代表される弾球遊技機の中には、遊技盤の遊技領域に可変表示装置や始動入賞口を設け、遊技領域に向けて発射された遊技球が始動入賞口に入賞したことを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置に所定の特別図柄の組み合わせが表示され、通常モードから特別遊技モードへと移行する。この特別遊技モードでは、例えばアタッカーが開放動作して露呈された大入賞口に遊技球が入るので、遊技者は多くの賞球を獲得することができる。
【０００３】
このような弾球遊技機において、可動態様を変化させることができる可動役物装置を可変表示装置の近傍に配置し、電子抽選で当選していることを可動役物装置の可動態様によって示唆または報知するようにしたものが広く採用されている。かかる可動役物装置はモータやソレノイド等のアクチュエータを駆動源として種々の運動を行う可動部を有しており、従来より、直線的に往復移動可能な可動体を可変表示装置の前方に配置すると共に、この可動体の端部にＬＥＤが実装された回路基板を固定し、この回路基板を可動体と一体的にスライド動作させるようにした可動役物装置が知られている（例えば、特許文献１参照）。
【０００４】
かかる従来の可動役物装置においては、ＬＥＤに電力を供給するためのフラットケーブルの両端が回路基板とランプ制御装置とに接続されており、このフラットケーブルに長さ方向の余裕部分を持たせることにより、回路基板のスライド動作がフラットケーブルの伸縮によって吸収されるようになっている。したがって、可変表示装置の前方を左右方向に往復移動する可動体に対して、その移動位置に拘わらずＬＥＤの光を照射させることができ、可動体の動きとＬＥＤの光との相乗効果によって興趣性の高い可動役物装置が実現されている。
【先行技術文献】
【特許文献】
【０００５】
【特許文献１】特開２００５−３４６３２号公報
【発明の概要】
【発明が解決しようとする課題】
【０００６】
ところで、前述した従来の可動役物装置のように、長さ方向に余裕を持たせたフラットケーブルの可撓性を利用して回路基板のスライド動作を吸収する構成にすると、回路基板の往復移動に伴って伸縮するフラットケーブルが回路基板とランプ制御装置との間に存在する多くの部材と干渉する虞があるため、フラットケーブルに断線等の損傷が生じ易くなる。この場合、可動体が支持されたベース部材に止め具を用いてフラットケーブルの所定箇所を固定し、この止め具と回路基板との間でフラットケーブルをＵ字状に折り返して余裕部分を確保すれば、回路基板の移動に伴うフラットケーブルの伸縮動作がＵ字状の折り返し部分で吸収されるため、フラットケーブルが不所望な部材と干渉して損傷することを防止できる。
【０００７】
しかしながら、単に止め具をベース部材に取り付けてフラットケーブルの所定箇所を挟持するだけでは、フラットケーブルをベース部材に対して確実に固定することはできず、特に、ベース部材自体が可動部の一部として回動可能に構成されている場合、可動部の回動とスライドという異なる方向の動きがフラットケーブルに作用するため、このようなフラットケーブルをベース部材に対して確実に固定しようとすると、止め具の取付構造が大型化して可動役物装置に組み込めなくなるという問題が生じる。
【０００８】
本発明は、このような従来技術の実情に鑑みてなされたもので、その目的は、回路基板に接続されるフラットケーブルをベース部材に対して簡単かつ確実に固定することができる可動役物装置を提供することにある。
【課題を解決するための手段】
【０００９】
上記の目的を達成するために、本発明は、遊技盤の遊技領域に配設され、電子抽選の結果を可動態様によって遊技者に示唆する可動役物装置において、直線的に往復移動するスライド体と、このスライド体の内部に固定され、発光体とコネクタが実装された回路基板と、前記スライド体を前後進可能に支持するベース部材と、前記コネクタに接続されて前記発光体に電力を供給する帯状のフラットケーブルと、このフラットケーブルを前記ベース部材に固定する止め具とを備え、前記止め具は、一対のスナップ脚の一端部間を矩形状の平板部で橋絡した断面コ字状の本体と、前記平板部に並設されて前記本体との間にスリットを画成する平面視Ｌ字状のフック部とを有し、前記両スナップ脚を前記ベース部材に係止することにより、前記フラットケーブルを前記平板部の裏面と前記ベース部材の受け面とで挟持すると共に、このフラットケーブルを前記平板部の表面側に折り返して前記スリットから前記フック部の裏面を通って前記コネクタまで導くように構成した。
【００１０】
このように構成された可動役物装置では、フラットケーブルの所定箇所を挟むように止め具の両スナップ脚をベース部材に係止した後、このフラットケーブルの先端部分を平板部の表面側に折り返してからスリットに挿入し、さらにスリットからフック部の裏面を通って回路基板上のコネクタまで導くことにより、フラットケーブルをベース部材に対して簡単かつ確実に固定することができる。したがって、ベース部材に取り付けた止め具からコネクタに至るフラットケーブルの長さに余裕を持たせておけば、ベース部材に対してスライド体と回路基板が一体的にスライド移動したときの動きをフラットケーブルの伸縮によって確実に吸収することができ、フラットケーブルの損傷を長期に亘って防止することができる。
【００１１】
上記の構成において、前記平板部の裏面と前記ベース部材の受け面とのいずれか一方に凹部が形成されていると共に、いずれか他方に前記凹部に挿入される凸部が形成されており、前記フラットケーブルが前記凸部と前記凹部との間で厚み方向に挟圧されていると、フラットケーブルの所定箇所を止め具の平板部とベース部材の受け面との間に確実に固定することができて好ましい。
【００１２】
また、上記の構成において、前記スライド体を支持する前記ベース部材は常時固定されていても良いが、前記スライド体が前記遊技盤の盤面と略平行な面内を移動可能であると共に、前記ベース部材が前記遊技盤の盤面と略平行な面内を回動可能であり、このベース部材を傾倒姿勢に角度規制するストッパ手段を設け、前記ベース部材が前記傾倒姿勢で角度規制されているとき、前記スライド体が該ベース部材に対して往復移動するように構成した場合、スライド体とベース部材の複合運動によって可動役物装置の演出効果を高めることができ、このようなスライド体とベース部材の複合運動に対してもフラットケーブルを追従させることができる。
【発明の効果】
【００１３】
本発明の可動役物装置は、平板部の両端から一対のスナップ脚を突出させた断面コ字状の本体と平板部にスリットを介して並設された平面視Ｌ字状のフック部とを有する止め具を用い、この止め具の両スナップ脚をフラットケーブルの所定箇所を挟むようにベース部材に係止した後、フラットケーブルの先端部分を平板部の表面側に折り返してからスリットに挿入し、さらにスリットからフック部の裏面を通って回路基板上のコネクタまで導くことにより、フラットケーブルをベース部材に対して簡単かつ確実に固定することができる。したがって、ベース部材に取り付けた止め具からコネクタに至るフラットケーブルの長さに余裕を持たせておけば、ベース部材に対してスライド体と回路基板が一体的にスライド移動したときの動きをフラットケーブルの伸縮によって確実に吸収することができ、フラットケーブルの損傷を長期に亘って防止することができる。
【図面の簡単な説明】
【００１４】
【図１】本発明の可動役物装置が適用されたパチンコ機の外観を示す斜視図である。
【図２】図１のパチンコ機に備えられる遊技盤の正面図である。
【図３】図２の遊技盤に設けられた中央役物ユニットの正面図である。
【図４】該中央役物ユニットの斜視図である。
【図５】該中央役物ユニットに備えられる可動役物装置の正面図である。
【図６】該可動役物装置の側面図である。
【図７】該可動役物装置の斜視図である。
【図８】図５のＡ−Ａ線に沿う断面図である。
【図９】該可動役物装置の分解斜視図である。
【図１０】該可動役物装置に備えられる第１の可動体の正面図である。
【図１１】図１０のＢ−Ｂ線に沿う断面図である。
【図１２】該第１の可動体の分解斜視図である。
【図１３】該第１の可動体の内部構造を示す正面図である。
【図１４】図１３のＣ−Ｃ線に沿う断面図である。
【図１５】該第１の可動体の動作説明図である。
【図１６】該第１の可動体に備えられるフラットケーブルの引き回し状態を示す斜視図である。
【図１７】図１６に対応する正面図である。
【図１８】図１７のＤ−Ｄ線に沿う断面図である。
【図１９】図１８のＥ部拡大図である。
【図２０】該フラットケーブルの止め具を示す斜視図である。
【図２１】該止め具の正面図である。
【図２２】該止め具の側面図である。
【図２３】該可動役物装置に備えられる第２の可動体の斜視図である。
【図２４】該第２の可動体の駆動機構の一部を示す分解斜視図である。
【図２５】該第２の可動体の動作説明図である。
【発明を実施するための最良の形態】
【００１５】
発明の実施の形態について図面を参照して説明する。図１に示すように、本発明の可動役物装置が適用されたパチンコ機Ｐは、遊技場の島設備に配置される機枠１と、機枠１に扉状に開閉自在に取り付けられた前面枠２と、前面枠２に収納保持された後述する遊技盤３と、前面枠２の前面に扉状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１６】
図２に示すように、遊技盤３の盤面はガイドレール８等で囲まれた遊技領域９となっており、発射ハンドル６が遊技者によって任意角度に回転操作されると、図示せぬ発射装置が受け皿７に貯留された遊技球を遊技領域９に向けて連続的に打ち出すようになっている。遊技領域９の上部中央付近には中央役物ユニット１０が配設されており、この中央役物ユニット１０の左右両側が遊技球の流下通路となっている。中央役物ユニット１０は、中央部に開口１１を有する枠状の装飾ケース１２と、装飾ケース１２の右側部に配置された可動役物装置１３とを具備しており、後述するように、可動役物装置１３は第１の可動体２５と第２の可動体２６やそれらの駆動機構等によって構成されている。また、中央役物ユニット１０の裏面側には液晶パネル（ＬＣＤ）からなる可変表示装置１４が配設されており、この可変表示装置１４の表示画面１４ａは装飾ケース１２の開口１１から露出している。
【００１７】
装飾ケース１２には開口１１の下辺に隣接するステージ１５が設けられており、ステージ１５の中央部には溝１５ａが形成されている。この溝１５ａの真下位置には第１の始動入賞口１６が配設されており、第１の始動入賞口１６の右方には通過チャッカー１７と第２の始動入賞口１８が横一列に配設されている。第１の始動入賞口１６は上面に入賞孔が開口された単純構造の始動入賞口であるが、第２の始動入賞口１８は一対の可動片を有する電動チューリップ構造の始動入賞口となっている。そして、第１および第２の始動入賞口１６，１８のいずれか一方に遊技球が入賞すると、それを契機として特別図柄表示の電子抽選が行われ、可変表示装置１４の表示画面１４ａ上で図柄の変動表示と停止表示が行われる。また、通過チャッカー１７を遊技球が通過したことを契機に普通図柄表示の電子抽選が行われ、その抽選結果が当たりの場合に第２の始動入賞口１８の可動片を一時的に開放して遊技球の入球を許可するようになっている。
【００１８】
第１の始動入賞口１６の真下位置にはアタッカー１９が配設されており、このアタッカー１９によって図示せぬ大入賞口が覆われている。アタッカー１９は、第１および第２の始動入賞口１６，１８のいずれか一方に遊技球が入賞することを契機に行われる特別図柄表示の電子抽選の結果、当たりとなって大当たり遊技状態（特別遊技モード）に移行した場合に作動される装置である。具体的には、特別図柄表示の抽選結果が当たりの場合、可変表示装置１４の表示画面１４ａ上で図柄の変動表示を例えば「７７７」のように特定図柄で停止させると共に、アタッカー１９が複数回繰り返し開放動作して大入賞口を露呈させる。アタッカー１９は１回の開放動作について例えば３０秒通過するまで、あるいは遊技球が大入賞口に例えば１０個入球するまで開放状態を維持し、かかる開放動作を例えば１５回繰り返した後に大当たりが終了する。その他、遊技領域９には遊技球の払い出しのみを行う複数の一般入賞口２０が配設されており、いずれの始動入賞口１６，１８や一般入賞口２０にも入賞しなかった遊技球は、遊技領域９の最下端部に設けられたアウト口２１から遊技盤３の裏面側に排出されるようになっている。
【００１９】
図３と図４に示すように、前記装飾ケース１２の左側壁には中空構造のワープ通路２２が形成されており、このワープ通路２２の入口は遊技領域９に開口していると共に、ワープ通路２２の出口２２ａはステージ１５の左上部に開口している。したがって、中央役物ユニット１０の左側の遊技領域９を流下する遊技球がワープ通路２２の入口に入球すると、その遊技球はワープ通路２２の内部から出口２２ａを通ってステージ１５上に誘導される。そして、前述したようにステージ１５の溝１５ａの真下に第１の始動入賞口１６が配置されているため、溝１５ａから落下した遊技球は高い確率で第１の始動入賞口１６へと導かれる。また、装飾ケース１２の下側壁にはステージ１５の後端から開口１１の下辺に向かって上り勾配で連続する傾斜面２３が形成されており、この傾斜面２３にはハート形状をなす複数の装飾突部２３ａが形成されている。
【００２０】
図５〜図９に示すように、装飾ケース１２の右側部に配置された可動役物装置１３は、装飾ケース１２の一部をなす装飾体２４と、装飾体２４の前方に配置された第１の可動体２５および第２の可動体２６と、装飾体２４の裏面にネジ止めにより一体化されたベース板２７と、ベース板２７に取り付けられたモータ２８およびソレノイド２９と、ベース板２７の裏面側に固定された支持基板３０等を備えており、支持基板３０に実装されたフォトインタラプタ３１はベース板２７に開設された透孔２７ａと対向している。ここで、第１の可動体２５はバナナを模した役物であり、後述するように、この第１の可動体２５は図２の実線で示す起立姿勢と同図の２点破線で示す傾倒姿勢との間を揺動動作するようになっている。一方、第２の可動体２６は腰掛け姿勢の女性を模した役物であり、後述するように、この第２の可動体２６は装飾体２４の前方を上下方向へ往復移動するようになっている。
【００２１】
ベース板２７はその上端が後端よりも前方へ突出した前傾姿勢に保たれており、本実施形態例の場合、遊技盤３の盤面と平行な垂直面に対するベース板２７の傾斜角度θは約１２度に設定されている（図６参照）。ベース板２７の下端部は装飾体２４から突出して装飾ケース１２の前面壁で覆われており、この装飾ケース１２の後方とベース板２７の下端部前方との間にできる下側スペースＳ１にモータ２８が配置されている。この下側スペースＳ１はベース板２７を前傾姿勢にすることで奥行き寸法（前後方向の長さ）に余裕があり、下側スペースＳ１と両可動体２５，２６とは平面的にオーバーラップしない位置関係にある。一方、ソレノイド２９はベース板２７の上端部後方にできる上側スペースＳ２に配置されており、この上側スペースＳ２は装飾体２４の内部に画成されて第２の可動体２６と平面的にオーバーラップしている。
【００２２】
モータ２８には減速ギアユニット３２が積層・一体化されており、これらモータ２８と減速ギアユニット３２の一体品はベース板２７の下端部に突出形成された載置部２７ｂにネジ止めされている。モータ２８の回転軸は減速ギアユニット３２に内蔵された図示せぬ減速ギア列の最初段ギアに連結されており、この減速ギア列の最終段ギアに連結された出力軸３２ａが減速ギアユニット３２から突出している。モータ２８の回転軸と減速ギアユニット３２の出力軸３２ａはベース板２７の板面に対して直交しており、出力軸３２ａは載置部２７ｂによって包囲された凹所内に突出している。ベース板２７には載置部２７ｂ近傍に一対の歯車３３ａ，３３ｂが軸支されており、減速ギアユニット３２の出力軸３２ａは前段側の歯車３３ａに連結されている。一方、後段側の歯車３３ｂは後述する歯車部材３５に噛合しており、この歯車部材３５はベース板２７に立設された支軸３４に回転可能に支持されている。したがって、モータ２８が正逆いずれかの方向へ回転すると、その回転が減速ギアユニット３２の減速ギア列や一対の歯車３３ａ，３３ｂを介して歯車部材３５に伝達され、これらモータ２８から歯車部材３５に至る各部品によって第１の可動体２５を動作させる第１の駆動機構が構成されている。なお、ベース板２７の下端部近傍には円筒状のストッパ２７ｃが立設されており、このストッパ２７ｃは下側スペースＳ１内を通って装飾体２４の前方に突出している。
【００２３】
図１０〜図１５に示すように、第１の可動体２５は、モータ２８を駆動源として正逆両方向へ回転する前記歯車部材３５と、歯車部材３５と一体的に回転する鍔状部材３６と、歯車部材３５を支持する支軸３４を中心に正逆両方向へ回動する揺動体３７と、揺動体３７の回転中心寄りの基端側に固定されたガイド部材３８と、揺動体３７の自由端側の長方形部分に前後進可能に支持された作動部材３９と、作動部材３９に軸支された２段歯車４０と、作動部材３９と鍔状部材３６との間に架設されたコイルスプリング４１と、２段歯車４０を介して揺動体３７に連結された中継部材４２と、中継部材４２に搭載された回路基板４３と、回路基板４３に接続されたフラットケーブル４４と、フラットケーブル４４をガイド部材３８に固定する止め具４５と、歯車部材３５やガイド部材３８を内包するように揺動体３７に固定された下側包囲体４６および上側包囲体４７と、作動部材３９や回路基板４３を内包するように中継部材４２に固定された中空構造の外装部材４８，４９等によって主に構成されている。
【００２４】
歯車部材３５は円板状の基部３５ａを有しており、この基部３５ａの裏面周縁部に刻設された歯部３５ｂが前述した後段側の歯車３３ｂと噛合している。基部３５ａの裏面には検出突片３５ｃが形成されており、この検出突片３５ｃはベース板２７の透孔２７ａを挿通して支持基板３０と対向している（図９参照）。これにより、歯車部材３５の回転に伴って検出突片３５ｃが支持基板３０に実装されたフォトインタラプタ３１の光路を遮断すると、フォトインタラプタ３１から歯車部材３５の原点位置を示す切替信号が検出されるようになっている。一方、基部３５ａの表面側には、その中心位置から前方へ突出する円筒状のガイド突起３５ｄと、ガイド突起３５ｄの外側から前方へ突出する円弧状の駆動突起３５ｅとが形成されており、これらガイド突起３５ｄと駆動突起３５ｅは支軸３４を中心とする同心円上に配置されている。ガイド突起３５ｄの外周面には軸線方向へ延びる複数の摺動リブ３５ｆが形成されており、ガイド突起３５ｄの上端には複数の凹部３５ｇが形成されている。
【００２５】
鍔状部材３６は外周縁の一部に切欠き状の凹部３６ａを有する板状体であり、その中心位置に形成された貫通孔３６ｂを支軸３４に挿入して図示せぬＥリング等で抜け止めすることにより、鍔状部材３６は歯車部材３５と共に支軸３４に回転可能に支持されている。また、図１３の破線で示すように、鍔状部材３６の裏面には、貫通孔３６ｂを中心に円弧状に延びる内壁部３６ｃと、貫通孔３６ｂから内壁部３６ｃに向かって放射状に延びる複数の連結リブ３６ｄと、内壁部３６ｃの外側に位置する係止ピン３６ｅとが形成されており、各連結リブ３６ｄをガイド突起３５ｄの対応する凹部３５ｇに嵌合することにより、歯車部材３５と鍔状部材３６は回転方向に位置決めされた状態で一体化されて回転体５０を構成している。
【００２６】
揺動体３７の基端側には円形孔３７ａを有する環状筒部３７ｂが形成されており、環状筒部３７ｂの外周縁には周方向に沿って所定の角度範囲（約９０度）で延びる切欠き部３７ｃが形成されている。また、環状筒部３７ｂから外方へ突出する揺動体３７の自由端側には細長形状のガイド孔３７ｄが形成されると共に、このガイド孔３７ｄの長手方向に沿って延びる第１のラック３７ｅが刻設されている。円形孔３７ｂは歯車部材３５のガイド突起３５ｄに回転可能に挿入されており、その際、環状筒部３７ｂの両端面が基部３５ａと鍔状部材３６とで挟持されることにより、揺動体３７は回転体５０からの脱落しないようになっている。また、歯車部材３５の駆動突起３５ｅは切欠き部３７ｃ内に位置しており、駆動突起３５ｅが切欠き部３７ｃの内部を周方向に移動する角度範囲だけ、揺動体３７と回転体５０とは相対的に回動可能となっている。この点については後ほど詳細に説明することとし、ここでは簡単に説明すると、第１の可動体２５が図２の実線で示す起立姿勢にあるとき、駆動突起３５ｅは切欠き部３７ｃの一方の端部に当接しており、この状態から回転体５０（歯車部材３５と鍔状部材３６）が図２の反時計方向へ回転し始めると、揺動体３７は回転体５０と一体的に同方向へ回動する。そして、第１の可動体２５が図２の破線で示す傾倒姿勢まで回動すると、環状筒部３７ｂの近傍がベース板２７に立設されたストッパ２７ｃに当接して揺動体３７の回転が規制されるため、その後は回転体５０のみが同方向へ回転を続行し、この間で駆動突起３５ｅが切欠き部３７ｃ内を他方の端部に向かって移動する。
【００２７】
ガイド部材３８は揺動体３７の環状筒部３７ｂとガイド孔３７ｄ間にネジ止めされており、これら揺動体３７とガイド部材３８によってベース部材が構成されている。このガイド部材３８の一端側には円弧状の外壁部３８ａが形成されており、外壁部３８ａは環状筒部３７ｂの外側に約半周に亘って延びている。図１３と図１４に示すように、この外壁部３８ａと前述した鍔状部材３６の内壁部３６ｃとの間にはリング状空間Ｓ３が画成されている。また、ガイド部材３８の裏面には湾曲状に延びるガイド溝３８ｂが形成されており、このガイド溝３８ｂはリング状空間Ｓ３に連通している。ガイド部材３８の他端側は後述する止め具４５の受け面３８ｃとなっており、この受け面３８ｃには凹部３８ｄが形成されている。また、受け面３８ｃを挟んで対向するガイド部材３８の両側面にはそれぞれ係止溝３８ｅが形成されており、前述したガイド溝３８ｂは受け面３８ｃと反対側の面に形成されている。
【００２８】
作動部材３９の裏面には一対のボス３９ａが突設されており、これらボス３９ａをガイド孔３７ｄに挿入することにより、作動部材３９は揺動体３７の長手方向に沿って直線的に往復移動できるようになっている。なお、揺動体３７の裏面側から一方のボス３９ａに対して図示せぬ抜け止めワッシャがネジ止めされており、この抜け止めワッシャによって作動部材３９のガイド孔３７ｄからの脱落が阻止されている。図１１に示すように、２段歯車４０は上段側の大径ギア４０ａと下段側の小径ギア４０ｂを一体化した歯車であり、小径ギア４０ｂは揺動体３７の第１のラック３７ｅに噛合している。この２段歯車４０は作動部材３９に立設された支軸５１に軸支されると共に、ブラケット５２によって作動部材３９からの脱落が阻止されている。
【００２９】
コイルスプリング４１は作動部材３９と回転体５０とを連結する可撓性の伝達部材であり、このコイルスプリング４１の両端は作動部材３９の端面に形成された係止孔３９ｂと揺動体３７の係止ピン３６ｅとにそれぞれ掛止めされている。コイルスプリング４１はガイド部材３８の裏面に形成されたガイド溝３８ｂに挿通されると共に、ガイド溝３８ｂに連続するリング状空間Ｓ３内に配置されており、これらガイド溝３８ｂとリング状空間Ｓ３によってコイルスプリング４１の折れ曲がりが防止されている。したがって、歯車部材３５の駆動突起３５ｅが揺動体３７の切欠き部３７ｃ内を移動するとき、すなわち、ストッパ２７ｃに当接して回転停止した揺動体３７に対して回転体５０のみが回転するとき、回転体５０の回転に伴ってコイルスプリング４１がガイド溝３８ｂとリング状空間Ｓ３内をスムーズに移動するため、回転体５０の回転運動をコイルスプリング４１で直線運動に変換して作動部材３９を確実に前後方向へスライド移動させることができる。
【００３０】
中継部材４２は、作動部材３９を覆う長方形状の平板部４２ａと、平板部４２ａの両長辺から直角に突出する一対の側壁部４２ｂとを有しており、これら側壁部４２ｂは揺動体３７の裏面側に配置された外装部材４８にネジ止めされている。図１１に示すように、一方の側壁部４２ｂの内面には第２のラック４２ｃが刻設されており、この第２のラック４２ｃは２段歯車４０の大径ギア４０ａに噛合している。このように、作動部材３９に軸支した２段歯車４０の小径ギア４０ｂを揺動体３７の第１のラック３７ｅに噛合すると共に、この２段歯車４０の大径ギア４０ａを中継部材４２の第２のラック４２ｃに噛合しているため、揺動体３７に対する作動部材３９の前後進動作を２段歯車４０で増速して中継部材４２に伝達することができる。
【００３１】
回路基板４３には発光体としての複数のＬＥＤ５３が実装それており、この回路基板４３は中継部材４２の平板部４２ａ上にネジ止めされている。回路基板４３の長手方向の一端側には導光体５４がネジ止めされており、この導光体５４には最先端のＬＥＤ５３の真上に位置する円柱状突部５４ａが形成されている。また、回路基板４３の長手方向の他端側にはコネクタ５５が実装されており、このコネクタ５５と各ＬＥＤ５３は図示せぬ引き回しパターンを介して接続されている。
【００３２】
フラットケーブル４４は互いに平行に延びる複数本の導体を一対のベースフィルム間に担持した帯状体であり、このフラットケーブル４４の両端をコネクタ５５と図示せぬ制御装置に接続することにより、回路基板４３上の各ＬＥＤ５３に制御装置からフラットケーブル４４を介して電力が供給されるようになっている。ここで、フラットケーブル４４は止め具４５を用いてガイド部材３８の受け面３８ｃに固定されており、止め具４５とコネクタ５５との間でフラットケーブル４４をＵ字状に撓めて長さ方向に余裕を持たせることにより、回路基板４３が搭載された作動部材３９の前後進動作をフラットケーブル４４の伸縮によって吸収するようになっている。以下、この止め具４５を用いたフラットケーブル４４の取付構造について図１６〜図２２を参照して詳細に説明する。
【００３３】
図２０〜図２２に示すように、止め具４５は、一対のスナップ脚５６ａの一端部間を矩形状の平板部５６ｂで橋絡した断面コ字状の本体５６と、平板部５６ｂに並設された平面視Ｌ字状のフック部５７とを有する合成樹脂の成形品であり、本体５６とフック部５７との間には一側端を開放したスリット５８が画成されている。両スナップ脚５６ａの内壁には係止爪５６ｃがそれぞれ形成されており、平板部５６ｂの裏面には凸部５６ｄが形成されている。
【００３４】
このような止め具４５を用いてフラットケーブル４４をガイド部材３８の受け面３８ｃに固定する場合、まず、フラットケーブル４４の所定箇所をガイド部材３８の受け面３８ｃに載置した後、このフラットケーブル４４の上方から止め具４５の両スナップ脚５６ａをガイド部材３８に押し込んで係止爪５６ｃをガイド部材３８の係止溝３８ｅに係止する。その際、図１９に示すように、平板部５６ｂの裏面に形成した凸部５６ｄが受け面３８ｃに形成した凹部３８ｄに挿入されるため、フラットケーブル４４の所定箇所が凸部５６ｄと凹部３８ｄとの間で厚み方向に挟圧される。しかる後、止め具４５から突出するフラットケーブル４４の先端部分を平板部５６ｂの表面側に折り返してスリット５８に挿入し、当該部分をフック部５７の裏面側を通って表面側に導出することにより、フラットケーブル４４の所定箇所をガイド部材３８の受け面３８ｃに対して簡単かつ確実に固定することができる。最後に、図１６〜図８に示すように、フック部５７の表面側に導出するフラットケーブル４４をＵ字状に撓めてコネクタ５５に接続すれば、このＵ字状部分４４ａによってコネクタ５５と止め具４５との間の位置変位を吸収することができる。
【００３５】
図１０〜図１５に戻り、下側包囲体４６には揺動体３７の基端部がネジ止めされており、この下側包囲体４６に対して上側包囲体４７が揺動体３７の前面側からスナップ結合されている。これら下側包囲体４６と上側包囲体４７はバナナの皮を模した装飾体であり、揺動体３７と下側包囲体４６および上側包囲体４７は回転体５０に同軸配置されて一体的に回動するようになっている。
【００３６】
また、前述したように、揺動体３７の裏面側に配置された外装部材４８には中継部材４２の側壁部４２ｂがネジ止めされており、この外装部材４８に対して他の外装部材４９が回路基板４３の前面側からスナップ結合されている。これら外装部材４８，４９はバナナの果実を模した装飾体であり、光透過性の有色樹脂を用いて成形されている。回路基板４３の前面側に配置される外装部材４９の先端部には透孔４９ａが形成されており、この透孔４９ａから導光体５４の円柱状突部５４ａが露出している。これにより、回路基板４３に実装されたＬＥＤ５３の光を外装部材４９を透して外部に照射することができると共に、最先端のＬＥＤ５３の光を導光体５４の円柱状突部５４ａから外部に直接照射することができる。なお、これら外装部材４８，４９と中継部材４２（回路基板４３を含む）および作動部材３９（２段歯車４０を含む）によってスライド体が構成されている。
【００３７】
次に、このように構成された第１の可動体２５の動作を主として図１５（ａ）〜（ｃ）を参照して説明する。なお、図１５において、フラットケーブル４４と上側包囲体４７および外装部材４９は図示省略されている。
【００３８】
回転体５０（歯車部材３５と鍔状部材３６）が初期位置にあるとき、図１５（ａ）に示すように、第１の可動体２５は表示画面１４ａに向けて若干前傾した起立姿勢に保持されており、揺動体３７に形成された切欠き部３７ｃの一端は自重によって歯車部材３５の駆動突起３５ｅに当接している。この場合、作動部材３９はコイルスプリング４１に引っ張られてガイド孔３７ｄの後端側に位置しており、中継部材４２や回路基板４３を内包する外装部材４８，４９の基端側は下側包囲体４６と上側包囲体４７の内部に大きく入り込んでいる。
【００３９】
この状態でモータ２８の回転（例えば正転）によって歯車部材３５が同図の反時計方向へ回転すると、駆動突起３５ｅに自重で当接している揺動体３７も歯車部材３５と一体的に回動し、図１５（ｂ）に示すように、揺動体３７はベース板２７の下端部近傍に立設されたストッパ２７ｃに当接することによって停止する。これにより、第１の可動体２５は支軸３４を中心として表示画面１４ａの前方を起立位置から傾倒位置までに回動し、この間、コイルスプリング４１の両端が掛止めされた係止孔３９ｂと係止ピン３６ｅの相対位置は変化しないため、作動部材３９は揺動体３７と一緒に回動するだけである。
【００４０】
このように揺動体３７がストッパ２７ｃに当接して傾倒位置で停止した後、歯車部材３５がさらに同方向へ回転すると、図１５（ｃ）に示すように、駆動突起３５ｅが切欠き部３７ｃ内を一端から他端に向かって移動し、それに伴って鍔状部材３６の係止ピン３６ｅが外壁部３８ａの内側を同図の反時計方向へ回動する。その結果、作動部材３９がコイルスプリング４１に押されてガイド孔３７ｄの前端側へ移動し、それに伴って中継部材４２と回路基板４３および外装部材４８，４９が同図の矢印Ｘ１方向へ向かって前進する。このとき、作動部材３９に軸支された２段歯車４０の小径ギア４０ｂが揺動体３７の第１のラック３７ｅに噛合し、大径ギア４０ａが中継部材４２の第２のラック４２ｃに噛合しているため、揺動体３７に対する作動部材３９の矢印Ｘ１方向への動きが２段歯車４０で増速されて中継部材４２に伝達され、外装部材４８，４９の基端側が下側包囲体４６と上側包囲体４７の内部から突出する。したがって、バナナ全体を模した第１の可動体２５を表示画面１４ａの前面に沿って起立位置から傾倒位置まで回動させた後、この傾倒位置でバナナの身を模した外装部材４８，４９を皮を模した外装部材４８，４９から突出させるという一連の動きを低トルクで小型の１つのモータ２８を用いて行うことができる。
【００４１】
また、作動部材３９が矢印Ｘ１方向へ移動している途中で回路基板４３上の各ＬＥＤ５３を基端側から先端側に向かって順次点灯させることにより、各ＬＥＤ５３から順次発せられた光が外装部材４９を透して外部に照射されると共に、最先端のＬＥＤ５３の光が導光体５４の円柱状突部５４ａから外部に直接照射されるため、外装部材４８，４９の突出動作とＬＥＤ５３の点灯動作とを関連付けて演出効果を高めることができる。その際、回路基板４３上の各ＬＥＤ５３にはコネクタ５５に接続されたフラットケーブル４４から電力供給されるが、前述したように、フラットケーブル４４は止め具４５を用いてガイド部材３８の受け面３８ｃに固定されており、止め具４５とコネクタ５５との間でフラットケーブル４４をＵ字状に撓めて長さ方向に余裕を持たせてあるため、作動部材３９の移動に伴うコネクタ５５と止め具４５間の相対的な位置変動はフラットケーブル４４のＵ字状部分４４ａによって吸収される。
【００４２】
なお、第１の可動体２５が図１５（ｃ）に示す状態にあるとき、モータ２８を逆転させて歯車部材３５が同図の時計方向へ回転すると、図１５（ｂ）に示すように、駆動突起３５ｅが切欠き部３７ｃ内を他端から一端に向かって移動し、この間で中継部材４２と回路基板４３および外装部材４８，４９が同図の矢印Ｘ２方向へ後退する。そして、駆動突起３５ｅが切欠き部３７ｃの一端に当接した後、歯車部材３５がさらに同方向へ回転すると、作動部材３９が駆動突起３５ｅに押圧されて歯車部材３５と一体的に回動し、歯車部材３５が初期位置まで回転して停止すると、第１の可動体２５は図１５（ａ）に示す起立姿勢に復帰する。
【００４３】
次に、第２の可動体２６について詳細に説明すると、図２３と図２５に示すように、第２の可動体２６の後方には支持体５９が配設されており、この支持体５９の内部には上下方向へ延びるスリット６０が形成されている。支持体５９は装飾体２４の裏面に一体形成された部材であり、スリット６０の前端側は装飾体２４を貫通して開口している。支持体５９の後端面の上下２箇所には半円状の切欠き５９ａ，５９ｂが形成されており、これら切欠き５９ａ，５９ｂには駆動リンク６１の支軸６１ａと従動リンク６２の支軸６２ａがそれぞれ回転可能に支持されている。
【００４４】
駆動リンク６１の後端側には扇形の受け部６１ｂが形成されており、この受け部６１ｂの後方に回動アーム６３が配置されている。回動アーム６３は軸部６３ａを中心に略直交方向へ延びる第１および第２の腕部６３ｂ，６３ｃを有しており、第１の腕部６３ｂの先端は駆動リンク６１の受け部６１ｂの後端面に接離可能に対向している。第２の腕部６３ｃの先端は前記ソレノイド２９のプランジャー２９ａにピン６４を用いて回転可能に結合されており、このソレノイド２９は枠状のブラケット６５によってベース板２７の裏面に固定されている。また、回動アーム６３の軸部６３ａはブラケット６５にピン６６を用いて回転可能に支持されており、ベース板２７には回動アーム６３を挿通させる長孔２７ｄが形成されている（図９参照）。ここで、ソレノイド２９は内部にスプリング等の復帰機構を持たないタイプであり、非通電時にプランジャー２９ａは自重によってソレノイド２９の本体部分から下方へ突出している。なお、ソレノイド２９から第２の可動体２６に至る各部品、すなわち回動アーム６３と駆動リンク６１および従動リンク６２により、第２の可動体２６を動作させる第２の駆動機構が構成されている。
【００４５】
従動リンク６２は駆動リンク６１の下方に平行に配置されており、これら駆動リンク６１と従動リンク６２の先端は第２の可動体２６の背面にネジ止めされた連結体６７に回転可能に連結されている。図２４に示すように、この連結体６７は互いに平行な一対の支持壁６７ａ間を取付部６７ｂで橋絡したＨ形状の成形品であり、両支持壁６７ａの内面の上下２箇所には突起６７ｃが形成されている。上側２つの突起６７ｃは駆動リンク６１の先端側に設けられた軸受部６１ｃの軸孔６１ｄに嵌め込まれ、下側２つの突起６７ｃは従動リンク６２の先端側に設けられた軸受部６２ｂの軸孔６２ｃに嵌め込まれている。なお、駆動リンク６１の軸受部６１ｃと従動リンク６２の軸受部６２ｂはスリット６０を通って装飾体２４の前方へ突出しており、このスリット６０を覆い隠すように装飾体２４の前方に配置された第２の可動体２６の背面側で連結体６７と両軸受部６１ｃ，６２ｂとが連結されている。ここで、軸受部６１ｃの外周面には両突起６７ｃを軸孔６１ｄにガイドする一対のテーパ６１ｅが形成され、軸受部６２ｂの外周面にも両突起６７ｃを軸孔６２ｃにガイドする一対のテーパ６２ｄが形成されている。したがって、装飾体２４の前方から駆動リンク６１と従動リンク６２に向けて第２の可動体２６を押し込むことにより、スリット６０から突出している両軸受部６１ｃ，６２ｂの軸孔６１ｄ，６２ｃに連結体６７の対応する突起６７ｃを簡単かつ確実に嵌め込むことができる。
【００４６】
図２５（ａ）はソレノイド２９に通電されていない非通電状態を示し、かかる非通電時にプランジャー２９ａはソレノイド２９の本体部分から下方へ突出しており、回動アーム６３の第１の腕部６３ｂの先端は駆動リンク６１の受け部６１ｂの後端面下部と当接してしている。この場合、駆動リンク６１の上端は支持体５９の天井面５９ｃ（スリット６０の上端）から大きく離れており、駆動リンク６１と従動リンク６２の先端に連結された第２の可動体２６は上下方向（矢印Ｙ１−Ｙ２）の最下部に位置している。
【００４７】
ソレノイド２９に通電されると、図２５（ｂ）に示すように、プランジャー２９ａが上方へ引き込まれるため、回動アーム６３が軸部６３ａを中心に同図の時計方向へ回転し、駆動リンク６１が第１の腕部６３ｂからの押圧力を受けて上方へ回転する。また、従動リンク６２も駆動リンク６１に同期して上方へ回転し、それに伴って第２の可動体２６が最下部から矢印Ｙ１方向へ上昇する。その際、プランジャー２９ａの上死点で回動アーム６３が停止しても、駆動リンク６１は天井面５９ｃと当接する位置までは回転しておらず、両者間に微小寸法のクリアランスＣ１が確保されるようになっている。ただし、回動アーム６３と駆動リンク６１はピン等を用いて結合されておらず、単に第１の腕部６３ｂと受け部６１ｂとが接離可能に対向配置されているだけであるため、図２５（ｃ）に示すように、駆動リンク６１は回動アーム６３の停止後も慣性によってクリアランスＣ１内を上方へ回転して天井面５９ｃに衝突した後、その反動で下方へ回転して回動アーム６３の第１の腕部６３ｂに衝突し、かかる動作を慣性力がなくなるまで続けて停止する。したがって、ソレノイド２９への通電に伴って回動アーム６３が図２５（ｂ）に示す角度で停止した後も、第２の可動体２６はクリアランスＣ１の範囲内で矢印Ｙ１−Ｙ２方向へ僅かに上下動作を繰り返し、その間、第２の可動体２６はガクガクと不規則な動きで上下動することとなる。
【００４８】
前述した第１の可動体２５と第２の可動体２６は、遊技球が始動入賞口１６，１８に入賞することを契機に行われる特別図柄表示の電子抽選の結果に応じて単独または複合的に動作されるようになっている。例えば、スーパーリーチ時などに第１の可動体２５を起立位置と傾倒位置との間で揺動動作だけさせたり、この揺動動作に引き続いて第１の可動体２５を傾倒位置で前後進動作させたり、あるいは第１の可動体２５の傾倒位置での前後進動作に連動して第２の可動体２６を上下動させる、というように第１の可動体２５と第２の可動体２６の可動態様にバリエーションを持たせるようになっており、遊技者はこれらの可動態様によって大当たりである可能性が高いのではないかとドキドキしながら遊技を楽しむことができる。
【００４９】
以上説明したように本実施形態例に係る可動役物装置１３では、直線的に往復移動する外装部材４８，４９や中継部材４２や作動部材３９等からなるスライド体と、外装部材４８，４９の内部に固定されてＬＥＤ５３とコネクタ５５が実装された回路基板４３と、作動部材３９を前後進可能に支持する揺動体３７と、コネクタ５５に接続されてＬＥＤ５３に電力を供給する帯状のフラットケーブル４４と、揺動体３７に一体化されたガイド部材３８の受け面３８ｃにフラットケーブル４４を固定するための止め具４５とを備え、この止め具４５が、一対のスナップ脚５６ａの一端部間を矩形状の平板部５６ｂで橋絡した断面コ字状の本体５６と、平板部５６ｂに並設されて本体５６との間にスリット５８を画成する平面視Ｌ字状のフック部５７とを有し、両スナップ脚５６ａをガイド部材３８に係止することにより、フラットケーブル４４を平板部５６ｂとガイド部材３８の受け面３８ｃとで挟持すると共に、このフラットケーブル４４を平板部５６ｂの表面側に折り返してスリット５８からフック部５７の裏面を通ってコネクタ５５まで導くようにしたので、フラットケーブル４４をベース部材の構成部品であるガイド部材３８に対して簡単かつ確実に固定することができる。したがって、ガイド部材３８に取り付けた止め具４５からコネクタ５５に至るフラットケーブル４４にＵ字状部分４４ａを設けて長さに余裕を持たせておけば、揺動体３７に対して中継部材４２や回路基板４３が一体的にスライド移動したときの動きをＵ字状部分４４ａによって確実に吸収することができ、フラットケーブル４４の損傷を長期に亘って防止することができる。
【００５０】
また、ガイド部材３８の受け面３８ｃに凹部３８ｄを形成すると共に、止め具４５の平板部５６ｂの裏面に凹部３８ｄに挿入される凸部５６ｄを形成し、フラットケーブル４４をこれら凸部５６ｄと凹部３８ｄとの間で厚み方向に挟圧するようにしたので、フラットケーブル４４の所定箇所を止め具４５の平板部５６ｂとガイド部材３８の受け面３８ｃとの間に確実に固定することができる。なお、凹部３８ｄと凸部５６ｄの関係は上記実施形態例と逆でも可能であり、止め具４５の平板部５６ｂの裏面に凹部を形成すると共に、ガイド部材３８の受け面３８ｃに凹部に挿入される凸部を形成しても良い。
【００５１】
さらに、ベース部材である揺動体３７が遊技盤３の盤面と略平行な面内を回動可能であり、この揺動体３７に対して中継部材４２や回路基板４３等からなるスライド体を前後進可能に支持すると共に、揺動体３７を傾倒姿勢に角度規制するストッパ２７ｃを設け、揺動体３７が傾倒姿勢で角度規制されているとき、回路基板４３を含むスライド体が揺動体３７に対して往復移動するようにしたので、スライド体のスライド動作と揺動体３７の回動動作という複合運動によって可動役物装置の演出効果を高めることができ、このような複合運動に対してもフラットケーブル４４を無理なく追従させることができる。
【００５２】
なお、上記実施形態例では、揺動体３７に後付したガイド部材３８の受け面３８ｃに止め具４５を用いてフラットケーブル４４を固定する場合について説明したが、止め具４５の取付け部位はガイド部材３８の受け面３８ｃに限定されず、例えば、揺動体３７に一体形成した突出部や、揺動体３７とは別のベース部材の適宜箇所であっても良い。
【符号の説明】
【００５３】
３  遊技盤
９  遊技領域
１０  中央役物ユニット
１３  可動役物装置
１４  可変表示装置
１４ａ  表示画面
１６  第１の始動入賞口
１８  第２の始動入賞口
２５  第１の可動体
２６  第２の可動体
２７  ベース板
２７ｃ  ストッパ
２８  モータ
２９  ソレノイド
３４  支軸
３５  歯車部材
３６  鍔状部材
３７  揺動体
３７ａ  円形孔
３７ｂ  環状筒部
３７ｃ  切欠き部
３７ｄ  ガイド孔
３７ｅ  第１のラック
３８  ガイド部材
３８ａ  外壁部
３８ｂ  ガイド溝
３８ｃ  受け面
３８ｄ  凹部
３９  作動部材
３９ａ  ボス
３９ｂ  係止孔
４０  ２段歯車
４０ａ  大径ギア
４０ｂ  小径ギア
４１  コイルスプリング
４２  中継部材
４２ｃ  第２のラック
４３  回路基板
４４  フラットケーブル
４４ａ  Ｕ字状部分
４５  止め具
４６  下側包囲体
４７  上側包囲体
４８，４９  外装部材
５３  ＬＥＤ
５４  導光体
５４ａ  円柱状突部
５５  コネクタ
５６  本体
５６ａ  スナップ脚
５６ｂ  平板部
５６ｃ  係止爪
５６ｄ  凸部
５７  フック部
５８  スリット
Ｐ  パチンコ機
【図１】
2010220865.tif 000003
【図２】
2010220865.tif 000004
【図３】
2010220865.tif 000005
【図４】
2010220865.tif 000006
【図５】
2010220865.tif 000007
【図６】
2010220865.tif 000008
【図７】
2010220865.tif 000009
【図８】
2010220865.tif 000010
【図９】
2010220865.tif 000011
【図１０】
2010220865.tif 000012
【図１１】
2010220865.tif 000013
【図１２】
2010220865.tif 000014
【図１３】
2010220865.tif 000015
【図１４】
2010220865.tif 000016
【図１５】
2010220865.tif 000017
【図１６】
2010220865.tif 000018
【図１７】
2010220865.tif 000019
【図１８】
2010220865.tif 000020
【図１９】
2010220865.tif 000021
【図２０】
2010220865.tif 000022
【図２１】
2010220865.tif 000023
【図２２】
2010220865.tif 000024
【図２３】
2010220865.tif 000025
【図２４】
2010220865.tif 000026
【図２５】
2010220865.tif 000027